(57)【要約】【課題】携帯電話の信号による妨害を受けないし，省エネルギーにすることができる。【解決手段】第１及び第２の２つの異なる帯域の増幅回路を有するテレビ受信用増幅装置のうち，第１の帯域の信号を増幅する増幅回路の終段増幅器より入力側の伝送路の何れかの場所には，第１の帯域の信号から所定の帯域の希望信号を通過すると共に妨害波信号を除去するフィルタ回路と，第１の帯域の信号と電源電圧を通過する第１信号・電源通過回路と，前記フィルタ回路か，前記第１信号・電源通過回路かの何れかの経路を介して選択的に出力する選択手段とを備える。そして，前記選択手段を前記第１信号・電源通過回路に選択したときは，選択手段を介して前記電源電圧が第２の帯域の信号を増幅する増幅回路に供給され，前記選択手段を前記フィルタ回路に選択したときは，前記電源電圧が第２の帯域の信号を増幅する増幅回路には供給されないようにする。【選択図】  図２
2008113362.tif 000002
【特許請求の範囲】
【請求項１】
少なくとも，第１及び第２の２つの異なる帯域の信号を増幅する増幅器からなる増幅回路を有するテレビ受信用増幅装置において，
前記２つの異なる帯域の信号のうち，第１の帯域の信号を増幅する増幅回路の終段増幅器より入力側の伝送路の何れかの場所には，
第１の帯域の信号を通過する第１信号通過回路と，
第１の帯域の信号から所定の帯域の希望信号を通過するフィルタ回路と，
前記第１信号通過回路か，前記フィルタ回路かの何れかの経路を介して選択的に切替出力する第１選択手段と，を備え，
前記第１選択手段の経路を前記第１信号通過回路に選択したときは，第１信号通過回路を通過した第１の帯域の信号は第１の帯域の信号を増幅する増幅器に入力されると共に，前記第１選択手段を介して，第２の帯域の信号を増幅する前記増幅回路の動作電源が第２の帯域の信号を増幅する前記増幅回路に供給され，
前記第１選択手段の経路を前記フィルタ回路に選択したときは，当該フィルタ回路を通過した所定の帯域の希望信号は第１の帯域の信号を増幅する増幅器に入力されると共に，前記第１選択手段によって，第２の帯域の信号を増幅する前記増幅回路の動作電源が第２の帯域の信号を増幅する前記増幅回路に供給されるのを遮断するように構成したことを特徴とするテレビ受信用増幅装置。
【請求項２】
前記第１の帯域の信号はＵＨＦ帯のテレビ信号であり，第２の帯域の信号はＶＨＦ帯のテレビ信号であることを特徴とした請求項１に記載のテレビ受信用増幅装置。
【発明の詳細な説明】
【技術分野】
【０００１】
本発明は，主に家庭用あるいは共同受信用に利用されるＴＶ信号を増幅するテレビ受信用増幅装置に関し，詳しくはその回路構成に関する。
【背景技術】
【０００２】
携帯電話の普及に伴うサービスエリアの拡充のため，ビルや集合住宅の屋上や柱上などに，携帯電話の基地局が数多く設置されている。この基地局からは，携帯電話用に認可された周波数帯の電波が放射されるのであるが，そのうちの８００ＭＨｚ帯（例えば８１０から８１７ＭＨや８７０から８８５ＭＨｚ）の電波を使っているものはＵＨＦ帯のテレビ信号（４７０から７７０ＭＨｚ）のすぐ上側の周波数帯域であり，しかもテレビ信号に比べ非常に強いレベルであるため，ＵＨＦ帯のテレビ信号の受信に対して妨害波となる場合がある。
つまり，テレビ受信システム等に設置されたＵＨＦ帯のアンテナから，携帯電話の電波がテレビ受信用増幅装置に入力され，これによって増幅回路が入力オーバーとなりテレビの受信障害が発生するのである。
それに対して，図７に示される従来例のように，テレビ受信用増幅装置７０を構成するＵＨＦ増幅回路２１の前に，図８に示すような特性を有するＵＨＦ帯の信号を通過すると共に携帯電話の信号を除去するフィルタ５１を設けた構成にしたり，図７に示すように，前記除去フィルタ５１と信号通過回路（ＵＨＦ帯を通過するフィルタ回路で除去フィルタは備えていない）５４を選択手段ＳＷで切換可能にしたりすることで，ＵＨＦ増幅回路２１に対して過大なレベルの妨害波が入力されるのを阻止できるように構成することによって，携帯電話によるテレビの受信障害の発生を防止するようにしたものが提案されている。（例えば，特許文献１参照）
【０００３】
【特許文献１】特開２００４−２０１２５４号公報
【発明の開示】
【発明が解決しようとする課題】
【０００４】
ところで，ＵＨＦ帯の電波を使った放送として近年普及の著しい地上ディジタル放送があり，現在では地上アナログ放送と地上ディジタル放送が混在したサイマル放送が行われている。しかし，２０１１年には地上アナログ放送が完全停波されることになっており，ＶＨＦ帯と，ＵＨＦ帯の高域側の周波数帯を使ったアナログテレビ放送は行われない予定になっている。ところがアナログ放送が終了した，ＵＨＦ帯の高域側の周波数帯（７１０から７７０ＭＨｚ）は，テレビ放送以外のサービス用に（例えば，携帯電話用として）割り当てられる予定があり，このままでは，２０１１年以降，地上ディジタル放送の受信に対する新たな障害の発生が予想されるといった問題が有る。
それに加え，現状のＶＨＦ帯とＵＨＦ帯を増幅するテレビ受信用増幅装置を使ってサイマル放送を受信するシステムを構築すると，ＶＨＦ帯の放送が終了してもＶＨＦ帯の増幅回路が動作したままになるので，無駄な電力が消費された状態が続くといった問題がある。
更には，アナログ放送が停止されたときのアナログーディジタル変換工事において，ＵＨＦアンテナの設置や方向調整をしたときに，従来のＶＨＦ／ＵＨＦ受信システムから，必要のなくなったＶＨＦ帯のアンテナを取り除いてしまうような場合を考えると，従来のテレビ信号受信装置では，ＶＨＦ帯の増幅回路は稼動した状態のままにあるので，余分な電力を消費するばかりでなく，入力側がオープン状態になってしまうことによって，場合によってはテレビ受信用増幅装置が発振してしまうといった問題が考えられる。
そこで本願においては，こうした問題点を解決するためになされたものであり，
その目的は，ＶＨＦ／ＵＨＦ帯のテレビ放送の受信に適したテレビ受信用増幅装置を提供することを課題とする。
他の目的は，地上ディジタル放送の受信に好適なテレビ受信用増幅装置を提供することを課題とする。
他の目的は，妨害波による受信障害を排除可能なテレビ受信用増幅装置を提供することを課題とする。
他の目的は，アンテナの設置場所を変えたり，別筐体で構成された妨害波除去フィルタなどを使用したりすることなしに，携帯電話の信号による受信妨害を排除することを可能にするテレビ受信用増幅装置を提供することを課題とする。
他の目的は，妨害波による受信障害をテレビの視聴を停止することなく対応できるテレビ受信用増幅装置を提供することを課題とする。
他の目的は，簡単な操作で省電力化が可能なテレビ受信用増幅装置を提供することを課題とする。
他の目的及び利点は図面及びそれに関連した以下の説明により容易に明らかになるであろう。
【課題を解決するための手段】
【０００５】
上記課題を解決するために，請求項１の発明は，少なくとも，第１及び第２の２つの異なる帯域の信号を増幅する増幅器からなる増幅回路を有するテレビ受信用増幅装置において，
前記２つの異なる帯域の信号のうち，第１の帯域の信号を増幅する増幅回路の終段増幅器より入力側の伝送路の何れかの場所には，第１の帯域の信号を通過する第１信号通過回路と，第１の帯域の信号から所定の帯域の希望信号を通過するフィルタ回路と，前記第１信号通過回路か，前記フィルタ回路かの何れかの経路を介して選択的に切替出力する第１選択手段と，を備え，
前記第１選択手段の経路を前記第１信号通過回路に選択したときは，第１信号通過回路を通過した第１の帯域の信号は第１の帯域の信号を増幅する増幅器に入力されると共に，前記第１選択手段を介して，第２の帯域の信号を増幅する前記増幅回路の動作電源が第２の帯域の信号を増幅する前記増幅回路に供給され，
前記第１選択手段の経路を前記フィルタ回路に選択したときは，当該フィルタ回路を通過した所定の帯域の希望信号は第１の帯域の信号を増幅する増幅器に入力されると共に，前記第１選択手段によって，第２の帯域の信号を増幅する前記増幅回路の動作電源が第２の帯域の信号を増幅する前記増幅回路に供給されるのを遮断するように構成した。
【０００６】
請求項２の発明は，請求項１に記載のテレビ受信用増幅装置において，前記第１の帯域の信号はＵＨＦ帯のテレビ信号であり，第２の帯域の信号はＶＨＦ帯のテレビ信号であるように構成した。
【発明の効果】
【０００７】
請求項１および請求項２の発明によれば，ＶＨＦ帯とＵＨＦ帯のテレビ信号を使った地上アナログ放送と，ＵＨＦ帯のテレビ信号を使った地上ディジタル放送が混在したサイマル放送が行われていても，従来のテレビ受信用増幅装置と同様の使い方でテレビ受信システムが構築できる。
しかも，本発明のテレビ受信用増幅装置を用いてテレビ受信システムを構築しておけば，２０１１年に地上アナログ放送が終了した後であっても，スイッチ等からなる選択手段の簡単な操作一つで，ＵＨＦ帯のテレビ信号を増幅する増幅回路を動作させたまま，ＶＨＦ帯のテレビ信号を増幅する増幅回路の動作を停止できるのでテレビ受信用増幅装置が消費する電力量を少なくすることで省エネルギーとすることができるし，この省エネルギー化がスイッチの切替操作だけですむので，テレビの視聴を制限（停止）することなく工事が行える。そして，このようにＶＨＦ増幅回路を停止させておけば，アナログ放送が終了した後にＶＨＦアンテナを取り外して入力がオープンになっても発振することが無く安定した使用ができる。
【０００８】
また，地上ディジタル放送のテレビ信号が割り当てられていないＵＨＦ帯の高域側の所定周波数帯域に，新たにＵＨＦ帯の高域側の所定周波数帯域を使ったサービスが割り当てられた場合でも，省エネルギー化のためのＶＨＦ帯の増幅回路の停止スイッチ操作と同時に，テレビ受信用増幅装置に予め備えられた所定周波数帯の信号（つまり，妨害電波。）の通過を阻止するフィルタ回路によって当該電波がＵＨＦ帯のテレビ信号を増幅する増幅回路に入力されることを防止しするように構成されていることから，新たなサービスによって増幅回路が入力オーバー等を起こして受信障害が発生するといったことのない，極めて汎用性が高く利便性のよいテレビ受信用増幅装置が提供できるのである。
加えて，別筐体で構成された妨害波除去用のフィルタ回路をテレビ受信用増幅装置の前の同軸ケーブルに介挿させて対策する場合のように，妨害対策工事においてテレビの視聴を長時間に亘って制限すること無く工事が行えるので，この点においても従来に比べと極めて優位性の高いテレビ受信用増幅装置を提供できる。
【発明を実施するための最良の形態】
【０００９】
以下に，本発明を具体化した実施形態の例を，図面を基に詳細に説明する。
図１は本発明に係るテレビ受信用増幅装置１を備えたテレビ受信用システム１００の例を示し，図２は本発明のテレビ受信用増幅装置１の第１実施例としてのＶＵ・ＢＳ／ＣＳブースターを示し，その概略構成を説明するためのブロック図である。図３は本発明のテレビ受信用増幅装置１の第２実施例としてのＶＵ・ＢＳ／ＣＳブースターを示し，その概略構成を説明するためのブロック図である。図４は本発明のテレビ受信用増幅装置１の第３実施例としてのＶＵ・ＢＳ／ＣＳブースターを示し，その概略構成を説明するためのブロック図である。図５は本発明に係る妨害波除去フィルタ５０の特性の一例を示す。図６は経路選択回路５５の異なる実施例である。図７は従来のテレビ受信用増幅装置７０の概略構成を示すブロック図である。図８は従来の妨害波除去フィルタ５１の特性の一例を示す。
【００１０】
図１は，テレビ受信システム１００の構成例を示している。ＶＨＦ帯（例えば９０から２２２ＭＨｚ）を使ったテレビ放送局１０１，ＵＨＦ帯（例えば４７０から７７０ＭＨｚ）を使ったテレビ放送局１０３から放射された電波は，それぞれＶＨＦアンテナ２とＵＨＦアンテナ４で受信され，同軸ケーブル３ａ，３ｂを介してテレビ受信用増幅装置１の入力端子ＩＮ１，ＩＮ２から増幅器に入力されている。
また，ＢＳ（衛星放送）やＣＳ（通信衛星）からの電波は衛星アンテナ５で受信され，当該衛星アンテナ５に備えられた，図には示されていない衛星コンバータにおいて中間周波数帯（例えば１０３２から２６０２ＭＨｚ。以下，ＢＳ/ＣＳ信号と記載する。）の信号に周波数変換した後に，同軸ケーブル３ｃを介してテレビ受信用増幅装置１の入力端子ＩＮ３から入力されている。
テレビ信号増幅器１は，例えば増幅素子としてのトランジスタやＩＣ等から構成されている，夫々３０ｄＢ程度の利得を有した増幅回路からなり，入力された各信号をそれぞれ所定レベルだけ増幅した後に混合し，一つの出力端子ＯＵＴから混合信号として出力する。出力された混合信号は同軸ケーブル３ｄを介して宅内に引き込まれてから分配器６に入力され，当該分配器６において所定の数だけ分配し出力される。本発明の実施例では，分配器６は４分配であり，分配された信号は，それぞれ同軸ケーブル３ｅを介してその端部に接続されたテレビ端子７ａ，７ｂ，７ｃ，７ｄに供給されている。このうちテレビ端子７ａには同軸ケーブ３ｆ，電源供給装置８を介して前記混合信号がテレビ９が接続されている。この電源供給装置８はテレビ９に対してテレビ受信用増幅装置１からの混合信号を通過すると共に，テレビ受信用増幅装置１に電源電圧を供給するためのものであり，電源電圧は同軸ケーブル３ｆ，テレビ端子７ａ，同軸ケーブル３ｅ，分配器６，同軸ケーブル３ｄを介してテレビ受信用増幅装置１のＯＵＴから増幅器内部に供給されている。
【００１１】
図１に示される１０２はビルや集合住宅の屋上や，柱上などに数多く設置されている携帯電話用の基地局である。この基地局１０２からは，テレビ用に使われているＵＨＦ帯の上側の周波数帯，例えば８１０から８１７ＭＨや８７０から８８５ＭＨｚを使った携帯電話の電波が送信されている。更に，２０１１年に地上アナログ放送が終了した後は，アナログ放送が行われていたＵＨＦ帯の高域側である７１０（ｃｈ５３）から７７０ＭＨｚ（ｃｈ６２）の周波数帯域はテレビ放送の割り当てがなくなり，その空いた周波数帯域には，新しいサービス，例えば携帯電話の電波が割り当てられて送信されることが考えられる。
すでに送信されている電波を含め，特に，新しく割り当てられるとされる周波数帯域の電波は，ＵＨＦ帯を使った地上ディジタル放送（４７０から７１０ＭＨｚ）の周波数帯域のすぐ上側の周波数帯域であるため，これらの電波はＵＨＦアンテナ４で受信されてテレビ信号受信の妨害波となることが考えられる。この電波はテレビ信号のレベルに比べて高く，この妨害波がテレビ受信用増幅装置１に入力されると増幅回路が入力レベルオーバーになりテレビの受信に障害が発生することがあり，その対策が必要となるのである。
【００１２】
（第１実施例）
図２を用いて本発明のテレビ受信用増幅装置１の第１実施例について具体的に説明する。ＶＨＦアンテナ２で受信されたＶＨＦ帯の信号は，同軸ケーブル３ａを介してテレビ受信用増幅装置１のＶＨＦ入力端子ＩＮ１に入力される。入力されたＶＨＦ信号はＶＨＦ入力側フィルタ（例えば，コンデンサとコイルとからなるバンドパスフィルタ）１０を通過した後，ＶＨＦ増幅回路１１の入力端１２から入力され，高周波増幅素子としてのトランジスタやＩＣ等で構成された増幅器１３，１４等で所定量増幅された後に出力端１５から出力される。そして，増幅回路１１において増幅されたＶＨＦ信号はＶＨＦ出力側フィルタ（例えば，コンデンサとコイルとからなるローパスフィルタ）１６を通過した後に，後述するＵＨＦ帯の信号と混合される。更にこのＶＨＦ信号とＵＨＦ信号の混合信号は後述のＢＳ／ＣＳ信号とを混合するためのＶＵ出力側フィルタ２７（例えば，コンデンサとコイルとからなるローパスフィルタ）を通過して，ＶＨＦ帯の信号は，ＵＨＦ帯とＢＳ／ＣＳ帯の信号と混合された後に電源分離フィルタ４０から出力端子ＯＵＴへ出力される。
この電源分離フィルタ４０は，ＶＵ・ＢＳ／ＣＳ帯の信号を出力端子ＯＵＴ側に通過すると共に，出力端子ＯＵＴに接続された同軸ケーブル３ｄに重畳されてきた，前記電源供給装置８からの電源電圧を分離して，電源電圧端４０ａから取り出すことができるように構成されている。
尚，本発明に係るＶＨＦ増幅回路１１は２段構成となっているが，その構成段数は２段構成でなくてもよい。また，自動若しくは手動で利得の調整を行うことができるよう利得調整回路を備えてもよい等，実施例に限定されるものではない。
【００１３】
ＵＨＦアンテナ４で受信されたＵＨＦ帯の信号は同軸ケーブル３ｂを介してテレビ受信用増幅装置１のＵＨＦ入力端子ＩＮ２に入力される。入力されたＵＨＦ信号はＵＨＦ入力側フィルタ（例えば，コンデンサとコイルとからなるハイパスフィルタ）２０を通過した後に，例えばスイッチ等からなる第１選択手段ＳＷ１に入力される。
【００１４】
この第１選択手段ＳＷ１には，入力されたＵＨＦ帯の信号の中から所定の帯域を通過させると共に，該所定の帯域より上の周波数帯（つまり，妨害波。）の通過を阻止する帯域制限用フィルタ（例えば，コンデンサとコイルで構成されたローパスフィルタ。）５０と，入力されたＵＨＦ帯の信号を通過すると共に前記８００ＭＨｚ帯の妨害電波の通過を阻止する第１信号通過回路（例えば，コンデンサとコイルで構成されたローパスフィルタ。）５１が並列に接続されており，前記第１選択手段ＳＷ１の切換操作によって，経路が選択的に切換えできるように構成された経路切換回路５５が形成されている。
また，第１信号通過回路５１の出力側と第１選択手段ＳＷ１の出力側端子Ｓ１の相互接続点には，電流通過用の強磁コイルＬ４１が接続されている。この強磁コイルＬ４１は，他方側が前記電源分離フィルタ４０の電源電圧端４０ａと接続されているので，出力端子ＯＵＴに接続された同軸ケーブル３ｄに重畳されてきた前記電源供給装置８からの電源電圧は，この強磁コイルＬ４１を介して第１選択手段ＳＷ１の端子Ｓ１に印加されている。つまり，本発明に実施例においては，第１選択手段ＳＷ１を第１信号通過回路５１側に選択したときは，第１選択手段の端子Ｓ１とＳ２間が接続されるように切替わるので，第１選択手段ＳＷ１の出力側の端子Ｓ２からは，第１信号通過回路５１を通過したＵＨＦ帯の信号が出力されると共に，電源電圧が重畳されて出力される。また，第１選択手段ＳＷ１が帯域制限用フィルタ５０側に選択されたときは，第１選択手段の端子Ｓ１とＳ２間がオープンとなるように切替わるので，第１選択手段ＳＷ１の出力側の端子Ｓ２からは帯域制限用フィルタを通過した帯域制限された信号が出力されるのである。
尚，第１信号通過回路５１の出力側に接続されたＣはコンデンサであり，第１信号通過回路５１からの信号を通過すると共に，強磁コイルＬ４１を通過した電源電圧が第１信号通過回路５１側に通過するのを遮断するために介挿させたものである。従って，第１信号通過回路５１が電流通過しない回路構成であれば，このコンデンサＣは不要である。
【００１５】
この経路切換回路５５を構成する帯域制限用フィルタ５０は，妨害波となりうると予測されるＵＨＦ帯の高域側の周波数を使った新しく始まるサービス（例えば，携帯電話）の信号と，従来から使われている８００ＭＨｚ帯の携帯電話の信号を除去するためのものであり，本発明の実施例では図５に示すように少なくとも４７０から７１０ＭＨｚを通過帯域とし，それ以上の周波数帯，特に７１０から７７０ＭＨｚ帯の何れかの所定の周波数帯，８１０から８１７ＭＨおよび８７０から８８５ＭＨｚの周波数帯の通過を所定量阻止するように構成されている。
また，前記第１信号通過回路５１はＵＨＦ帯の信号を通過するように構成されていると共に，従来から携帯電話に使われているＵＨＦ帯のすぐ上側の帯域である前記８１０から８１７ＭＨや８７０から８８５ＭＨｚの周波数帯を遮断するように構成（図８に示す従来のフィルタ回路と同様な特性を有する。）されている。
尚，この帯域制限用フィルタが請求項に記載の妨害波信号を除去するフィルタ回路である。また本発明の実施例では当該フィルタ回路５０はＵＨＦ入力側フィルタ２０とＵＨＦ増幅回路２１との間に備えた例を示したが，後述の増幅回路２１の終段増幅器より入力側の伝送路のいずれに備えさせてもよく，実施例に限定されるものではない。
また，本発明に実施例では選択手段ＳＷ１の好適な例としてスイッチを使った例を示したが，高周波素子としてのピンダイオード等から構成される半導体スイッチで構成してもよい。また，特に７１０から７７０ＭＨｚ帯の何れかの所定の周波数帯を使ったサービスとして携帯電話の例を示したが，電波の使用の１例として示したものであり，妨害波としてテレビ受信に妨害を与えるものであればこの例に限定されるものではない。以下の説明には，特に明示しない限り，妨害波となる電波を携帯電話の例で説明する。
【００１６】
第１選択手段ＳＷ１の出力側には電源分離フィルタ４２が接続されており，第１選択手段ＳＷ１によって選択された経路によって，前記第１信号通過回路５１を通過したＵＨＦ帯の信号と第１選択手段ＳＷ１の端子Ｓ１-Ｓ２間を介して供給（端子Ｓ１-Ｓ２間が接続されている場合）される電源電圧，若しくは，フィルタ回路５０によって所定の帯域に制限されたＵＨＦ帯の信号が電源分離フィルタ４２に入力される。
この電源分離フィルタ４２は第１選択手段ＳＷ１を通過したＵＨＦ帯の信号を出力側に通過すると共に，電源電圧が伝，送路に重畳されているなら，この電源電圧を電源電圧端４２ａから取り出すことができるように構成されたものである。そして，本発明の実施例では電源分離フィルタ４２の電源電圧端４２ａは，前記ＶＨＦ増幅回路１１の電源接続端１１ａと接続されており，前記第１選択手段ＳＷ１を第１信号通過回路５１側に選択したときは，ＵＨＦ帯の信号がＵＨＦ増幅回路２１に入力されると共に，前記出力端子ＯＵＴ側に接続された同軸ケーブルに重畳されてきた電源電圧は，電源分離フィルタ４０，強磁コイルＬ４１，第１選択手段ＳＷ１（Ｓ１-Ｓ２間），電源分離フィルタ４２の電源電圧端４２ａを介して，電源接続端１１ａからＶＨＦ増幅回路１１の動作電源として供給されるように構成されている。
また逆に，前記第１選択手段ＳＷ１を帯域制限用フィルタ回路５０側に選択したときは，帯域の制限されたＵＨＦ帯の信号がＵＨＦ増幅回路２１に入力されると共に，第１選択手段ＳＷ１（Ｓ１-Ｓ２間）がオープンになることによって，ＶＨＦ増幅回路１１の動作電源は遮断されＶＨＦ増幅回路１１の動作が停止するように構成されている。
【００１７】
電源分離フィルタ４２を通過したＵＨＦ帯の信号はＵＨＦ増幅回路２１の入力端２２から入力され，増幅器２３，２４等で所定量増幅された後に出力端２５から出力される。ＵＨＦ増幅回路２１において増幅された信号は，ＵＨＦ出力側フィルタ２６（例えば，コンデンサとコイルとからなるハイパスフィルタ）を通過した後に，前記ＶＨＦ出力側フィルタ１６を通過したＶＨＦ帯の信号と混合される。そして，このＶＨＦ信号とＵＨＦ信号の混合信号は上述のようにＢＳ／ＣＳ信号とを混合するためのＶＵ出力側フィルタ２７を通過して，ＵＨＦ帯の信号は，ＶＨＦ帯とＢＳ／ＣＳ帯の信号と混合された後に電源分離フィルタ４０から出力端子ＯＵＴへ出力される。
尚，本発明に係るＵＨＦ増幅回路２１は２段構成となっているが，その構成段数は２段構成でなくてもよい。また，自動若しくは手動で利得の調整を行うことができるよう利得調整回路を備えてもよい等，実施例に限定されるものではない。
【００１８】
ここで経路切換回路５５の異なる例を図６を基に説明する。この異なる実施例では図に示されるように，第２選択手段ＳＷ２が２つ設けられている。第２選択手段ＳＷ２−１には，前記第１信号通過回路５１と，４７０から７７０ＭＨｚを通過帯域とし上述の８００ＭＨｚ帯の妨害波阻止フィルタを備えていない第２信号通過回路５２を並列に接続し，第２選択手段ＳＷ２−２には，前記帯域制限用フィルタ５０と，４７０から７７０ＭＨｚを通過帯域とする第２信号通過回路５２を並列に接続し，夫々の第２選択手段を直列に接続することで経路切換回路５５を構成している。
つまり，この異なる実施例に示されている第２信号通過回路５２には，妨害波阻止フィルタが備えられていないので，第２信号通過回路５２のＵＨＦ帯の通過損失は，帯域制限用フィルタ５０，第１信号通過回路５１に比べて小さくすることができ，妨害波のない地域においてこのテレビ受信用増幅装置１を使用する場合などは，選択手段ＳＷ２−１およびＳＷ２−２の経路選択を第２信号通過回路５２側にすることによってよりＣ/Ｎのよい良好な受信ができる。また，前記帯域制限用フィルタ５０が前記第１信号・電源通過回路５１かいずれの経路も選択的に切換えることができるので，このブースター１だけで電波状況の異なる幅広い地域において受信システムが構築できる。
尚，本実施例に示される経路切換回路５５においては，スイッチを２つ備えさせた例を示したが，３回路を有するようなスイッチ１つを用いて構成しても良い。
【００１９】
次に，衛星アンテナ５で受信されたＢＳ／ＣＳ信号は，同軸ケーブル３ｃを介してテレビ受信用増幅装置１のＢＳ／ＣＳ入力端子ＩＮ３に入力される。入力されたＢＳ／ＣＳ信号は，電源重畳フィルタ４３，第３選択手段ＳＷ３，電源分離フィルタ４５を介してＢＳ／ＣＳ増幅回路３１側に出力される。
この第３選択手段ＳＷ３には，ＢＳ／ＣＳ帯の信号を通過する第３信号通過回路５３と，ＢＳ／ＣＳ帯の信号の通過を阻止する遮断回路とが並列に接続されており，前記第３選択手段ＳＷ３の切換操作によって，ＢＳ／ＣＳ帯の信号を通過するか，ＢＳ／ＣＳ帯の信号の通過を阻止するかの経路が選択的に切換えできるようになっている。
また，第３信号通過回路５３の出力側と第３選択手段ＳＷ３の出力側端子Ｓ３と相互接続点には，電流通過用の強磁コイルＬ４４が接続されている。この強磁コイルＬ４４は，他方側が前記電源分離フィルタ４０の電源電圧端４０ａと接続されているので，出力端子ＯＵＴに接続された同軸ケーブル３ｄに重畳されてきた前記電源供給装置８からの電源電圧は，この強磁コイルＬ４４を介して第３選択手段ＳＷ３の端子Ｓ３に印加されている。つまり，第３選択手段ＳＷ３の切換操作によって，第３選択手段ＳＷ３を第３信号通過回路５３側に選択したときは，第３選択手段ＳＷ３の出力側の端子Ｓ４からは，ＢＳ／ＣＳ帯信号が出力されると共に，電源電圧が重畳されて出力されるのである。第３選択手段ＳＷ３を遮断回路側に選択したときは，第３選択手段ＳＷ３の出力側の端子Ｓ４からは，ＢＳ／ＣＳ帯信号および電源電圧は出力されることがないように構成されている。尚，本発明の実施例では，遮断回路は図に示されるようにオープン状態を示している。
【００２０】
ここで電源電圧の経路について説明する。本発明の実施例では，前記電源分離フィルタ４０の電源電圧端４０ａと強磁コイルＬ４４は接続されており，前記出力端子ＯＵＴ側に接続された同軸ケーブルに重畳されてきた電源電圧は強磁コイルＬ４４を介して第３選択手段ＳＷ３に供給される。そして，第３選択手段ＳＷ３が第３信号通過回路５３側に選択された場合は，電源電圧は第３選択手段ＳＷ３の端子Ｓ３−Ｓ４間を介して電源分離フィルタ４５に入力される。この電源分離フィルタ４５の電源電圧端４５ａは入力側に配設された前記電源重畳フィルタ４３の電源電圧端子４３ａと接続されていると共に，後述するＢＳ／ＣＳ増幅回路３１の電源接続端３１ａに接続されていることによって，電源分離フィルタ４５によって分離された電源電圧は，電源重畳フィルタ４３を介してＢＳ／ＣＳ入力端子ＩＮ３から衛星アンテナに向かって出力されると共に，ＢＳ／ＣＳ増幅回路３１の動作電源として供給されるように構成されている。尚，第３信号通過回路５３の出力側に接続されたＣはコンデンサであり，第３信号通過回路５３からの信号を通過すると共に，強磁コイルＬ４４を通過した電源電圧が第３信号通過回路５３側に通過するのを遮断するために介挿させた電源分離用のコンデンサである。
また，第３選択手段ＳＷ３が遮断回路側に選択された場合は，該遮断回路はオープン状態であるので，電源電圧の供給が遮断されることによって，電源電圧がＢＳ／ＣＳ入力端子ＩＮ３から出力されなくなるし，同時にＢＳ／ＣＳ増幅回路３１へのＢＳ/ＣＳ信号および電源供給が止められる。
【００２１】
次に，ＢＳ／ＣＳ信号の流れについて説明する。電源分離フィルタ４５を通過したＢＳ／ＣＳ信号は，ＢＳ／ＣＳ入力側フィルタ（例えば，コンデンサとコイルとからなるハイパスフィルタ）３０を通過した後，ＢＳ／ＣＳ増幅回路３１の入力端３２から入力され，高周波増幅素子としてのトランジスタやＩＣ等で構成された増幅器３３，３４等で所定量増幅された後に出力端３５から出力される。そして，ＢＳ／ＣＳ増幅回路３１において増幅されたＢＳ／ＣＳ信号はＢＳ／ＣＳ出力側フィルタ（例えばハイパスフィルタ）３６を通過した後に，ＶＨＦ帯およびＵＨＦ帯の信号と混合される。そして，ＶＨＦ帯とＵＨＦ帯とＢＳ／ＣＳ帯の混合信号は電源分離フィルタ４０から出力端子ＯＵＴへ出力される。
尚，本発明に係るＢＳ／ＣＳ増幅回路３１は２段構成となっているが，その構成段数は２段構成でなくてもよい。また，自動若しくは手動で利得の調整を行うことができるよう利得調整回路を備えてもよい等，実施例に限定されるものではない。
【００２２】
このように構成されたテレビ受信用増幅装置の効果を説明する。まず，ＶＨＦ帯とＵＨＦ帯のテレビ信号を使った地上アナログ放送と，ＵＨＦ帯のテレビ信号を使った地上ディジタル放送が混在したサイマル放送が行われていても，従来のテレビ受信用増幅装置と同様の使い方でテレビ受信システムが構築できる。
【００２３】
しかも，本発明のテレビ受信用増幅装置を用いてテレビ受信システムを構築していおけば，２０１１年に地上アナログ放送が終了した後であっても，スイッチからなる選択手段ＳＷ１の簡単な操作一つで，ＵＨＦ帯のテレビ信号を増幅する増幅回路２１を動作させたまま，ＶＨＦ帯のテレビ信号を増幅する増幅回路１１の動作を停止できるので，テレビ受信用増幅装置１が消費する電力量を少なくすることで省エネルギーとすることができるし，この省エネルギー化がスイッチの切替操作だけですむので，テレビの視聴を制限（停止）することなく工事が行えるといった利便性を有するものとなる。加えて，アナログ放送終了後にＶＨＦアンテナを取り外してＶＨＦの入力がオープンになっても，増幅回路１１の動作を停止しているので増幅回路が発振することがなくなり，この点からも安心して使用ができるのである。
【００２４】
また，アナログ放送の終了時若しくはその後に，地上ディジタル放送のテレビ信号が割り当てられていないＵＨＦ帯の高域側の所定周波数帯域に，新たにＵＨＦ帯の高域側の所定周波数帯域を使ったサービスが割り当てられた場合でも，スイッチ操作によるＶＨＦ帯の増幅回路１１の停止による省エネルギー化と同時に，テレビ受信用増幅装置１に予め備えられた所定周波数帯の信号（つまり，妨害電波。）の通過を阻止するフィルタ回路５０によって，当該妨害電波がＵＨＦ帯のテレビ信号を増幅する増幅回路１１に入力されることを防止するように，経路切換回路５５が構成されていることから，新たなサービスによって増幅回路が入力オーバー等を起こして受信障害が発生するといったことのない，極めて汎用性が高く利便性のよいテレビ受信用増幅装置が提供できるのである。
【００２５】
また，上記実施例の図６によく示される経路切換回路５５の異なる実施例のように，第２選択手段ＳＷ２を２つ設け，第２選択手段ＳＷ２−１には，前記第１信号通過回路５１と，４７０から７７０ＭＨｚを通過帯域とし妨害波阻止フィルタを備えていない第２信号通過回路５２を並列に接続し，第２選択手段ＳＷ２−２には，前記帯域制限用フィルタ５０と，４７０から７７０ＭＨｚを通過帯域とする第２信号通過回路５２を並列に接続し，夫々の第２選択手段を直列に接続するように経路切換回路５５を構成すれば，第２信号通過回路５２には妨害波阻止フィルタが備えられていないので，第２信号通過回路５２のＵＨＦ帯の通過損失は，帯域制限用フィルタ５０，第１信号通過回路５１に比べて通過損失を小さくすることができ，携帯電波の基地局から離れていたり，建物などで遮蔽されていたりして携帯電話の電波による妨害がない地域においてこのテレビ受信用増幅装置１を使用する場合などは，選択手段ＳＷ２−１およびＳＷ２−２を第２信号通過回路５２側を選択することによって更にＣ／Ｎの良好な受信ができる。また，前記帯域制限用フィルタ５０と前記第１信号・電源通過回路５１も選択的に切換えることができるので，このブースターだけで電波状況こことなる幅広い地域において受信システムが構築できる。
【００２６】
加えて，別筐体で構成された妨害波除去用のフィルタ回路をテレビ受信用増幅装置の前の同軸ケーブルに介挿させて対策する場合のように，妨害対策工事においてテレビの視聴を長時間に亘って制限すること無く工事が行えるので，この点においても利便性の高いテレビ受信用増幅装置を提供できる。
【００２７】
また，本発明の実施例では，テレビ受信システムを構築する際に，今は衛星放送を見ないが，将来見る場合があることに備えて，予め，ＶＨＦとＵＨＦ帯の増幅回路１１と２１に加えて衛星アンテナからの中間周波数帯の信号を増幅する増幅回路３１を備えたブースターを提供しており，スイッチからなる第３選択手段ＳＷ３を遮断回路に切換える簡単な操作一つで，衛星放送を見ない間（即ち，衛星アンテナを接続していないとき）は，中間周波数帯の増幅回路３１を動作しない状態に維持して無駄な電力は食わない省エネルギー動作となり，また，衛星放送を見るために衛星アンテナを追加したときは，第３選択手段ＳＷ３を第３信号通過回路側に切換えるだけの簡単な操作一つで，ＢＳ／ＣＳ信号の増幅回路３１を動作させると共に，この切換と同時に衛星アンテナを構成する衛星コンバータへの給電を入力端子ＩＮ３から開始することができる極めて利便性のよいテレビ受信用増幅装置１を提供できる。
【００２８】
（第２の実施例）
図３の第２実施例に示される回路では，前記第１に実施例の回路に加え，第１信号通過回路５１の出力側と第１選択手段ＳＷ１の出力側端子Ｓ１の相互接続点に接続された電流通過用の強磁コイルＬ４１の他端側と，電源分離フィルタ４０の電源電圧端４０ａとの間に，電源電圧を分圧することによって微弱な電流のコントロール信号を生成するための抵抗Ｒ１およびＲ２からなるコントロール信号生成手段３８を備えると共に，このコントロール信号の有無を判定することによって，電源電圧をＶＨＦ増幅回路１１に供給するように構成された制御回路３９が備えられている。
即ち，第２実施例では，前記第１選択手段ＳＷ１を第１信号通過回路５１側に選択すると，前記コントロール信号は，強磁コイルＬ４１，第１選択手段ＳＷ１（Ｓ１-Ｓ２間），電源分離フィルタ４２の電源電圧端４２ａを介して制御回路３９に供給され，該制御回路３９がこのコントロール信号を検出したら電源電圧がＶＨＦ増幅回路１１に供給されるように構成されているのである。そして，前記第１選択手段ＳＷ１をフィルタ回路５０側に選択したときは，第１選択手段ＳＷ１（Ｓ１-Ｓ２間）がオープンになり制御回路３９にコントロール信号が印加されなくなるので，制御回路３９から電源電圧が出力されなくなり，ＶＨＦ増幅回路１１は動作しない。この実施例では，第１選択手段ＳＷ１に微弱な電流しか流さないので，上記実施例に比べて第１選択手段ＳＷ１としての，例えばスイッチ等の選択範囲を広くすることができる。
【００２９】
（第３の実施例）
図４の第３実施例に示される回路では，上記第１若しくは第２実施例において第１選択手段ＳＷ１が２回路であったものを１回路追加して，全部で３回路にしたものである。この第３実施例では，第１選択手段ＳＷ１の内部において，高周波の伝送経路と，電源電圧の伝送経路を分離するように構成したものであり，第１選択手段ＳＷ１の切換操作と連動して，電源電圧若しくはコントロール信号の切換を行うことができるように構成したものである。
【００３０】
尚，本発明は上記実施の形態に限定されるものではなく，以下に例示するように，本発明の趣旨を逸脱しない範囲で，各部の構成を適宜に変更して実施することも可能である。
本発明の実施例では，ＶＨＦ帯とＵＨＦ帯の信号が別入力のテレビ受信用増幅装置の例を示したがＶＨＦ帯とＵＨＦ帯の混合入力型にしてもよいし，別入力，混合入力を切換可能にした構成でもよい。
また，上記実施例に示す構成のＢＳ／ＣＳ増幅回路は有ってもよいし無くてもよいし，この構成のＢＳ／ＣＳ増幅回路だけを備えたＢＳ／ＣＳブースターであってもよい。
また本発明の実施例ではテレビ受信用増幅装置１と電源供給装置８が別体である電源分離型の例を示したが，電源供給装置をテレビ受信用増幅装置に内蔵させたものに対応するように構成してもよい。
更に，本発明の実施例ではＵＨＦ帯域のすぐ上側の帯域（８００ＭＨｚ帯）に発生する妨害波に加え，ＵＨＦ帯域（７１０から７７０ＭＨｚ）内に発生する妨害波の対策の例を示したが，図７の従来例に示す，ＵＨＦ帯域のすぐ上側の帯域（８００ＭＨｚ帯）に発生する妨害波の対策の例に対して，上記実施例と同様に，選択手段ＳＷの切換操作と連携してＶＨＦ増幅回路への電源供給を行ったり停止したりするように構成してもよいことは言うまでも無い。
【図面の簡単な説明】
【００３１】
【図１】本発明に係るテレビ受信用増幅装置を備えたテレビ受信用システム例を示す。
【図２】本発明のテレビ受信用増幅装置の第１実施例としてのＶＵ・ＢＳ／ＣＳブースターを示し，その概略構成を説明するためのブロック図である。
【図３】本発明のテレビ受信用増幅装置の第２実施例としてのＶＵ・ＢＳ／ＣＳブースターを示し，その概略構成を説明するためのブロック図である。
【図４】本発明のテレビ受信用増幅装置の第３実施例としてのＶＵ・ＢＳ／ＣＳブースターを示し，その概略構成を説明するためのブロック図である。
【図５】本発明にかかる携帯電話信号除去フィルタの特性の一例を示す。
【図６】経路切換回路の異なる実施例を示すブロック図である。
【図７】従来のテレビ受信用増幅装置の概略構成を示すブロック図である。
【図８】従来の携帯電話信号除去フィルタの特性の一例を示す。
【符号の説明】
【００３２】
１…テレビ受信用増幅装置，２…ＶＨＦアンテナ，３…同軸ケーブル，４…ＵＨＦアンテナ，５…衛星アンテナ，６…分配器，７…テレビ端子，８…電源部，９…テレビ，１０…ＶＨＦ入力側フィルタ，１１…ＶＨＦ増幅回路，１２…入力端，１３・１４…増幅器，１５…出力端，１６…ＶＨＦ出力側フィルタ，２０…ＵＨＦ入力側フィルタ，２１…ＵＨＦ増幅回路，２２…入力端，２３・２４…増幅器，２５…出力端，２６…ＵＨＦ出力側フィルタ，２７…ＶＵ出力側フィルタ，３０…ＢＳ／ＣＳ入力側フィルタ，３１…ＢＳ／ＣＳ増幅回路，３２…入力端，３３・３４…増幅器，３５…出力端，３６…ＢＳ／ＣＳ出力側フィルタ，３８…コントロール信号生成手段，３９…制御回路，４０…電源分離フィルタ，Ｌ４１…強磁コイル，４２…電源分離フィルタ，４３…電源重畳フィルタ，Ｌ４４…強磁コイル，４５…電源分離フィルタ，５０…妨害波除去用のフィルタ回路，５１…第１信号通過回路，５２…第２信号過回路，５３…第３信号通過回路，５４…信号通過回路，７０…従来のテレビ受信用増幅装置，１００…テレビ受信システム，１０１…ＶＨＦ帯のテレビ放送局，１０２…携帯電話の基地局，１０３…ＵＨＦ帯のテレビ放送局，ＳＷ…選択手段，ＳＷ１…第１選択手段，ＳＷ２…第２選択手段，ＳＷ３…第３選択手段。
【図１】
2008113362.tif 000003
【図２】
2008113362.tif 000004
【図３】
2008113362.tif 000005
【図４】
2008113362.tif 000006
【図５】
2008113362.tif 000007
【図６】
2008113362.tif 000008
【図７】
2008113362.tif 000009
【図８】
2008113362.tif 000010